(57)【要約】【課題】ねじりブラシ付き清掃具において、ねじりブラシの芯線等にからみ着いた髪の毛等を容易に除去すること。【解決手段】清掃具本体としてのフレーム１５にねじりブラシ１６を設けた清掃具１０のためのクリーナ７０であって、ねじりブラシ１６を掃除する円弧状の櫛部７１を備えたもの。【選択図】　図４
2004135809.tif 000002
【特許請求の範囲】
【請求項１】
清掃具本体にねじりブラシを設けた清掃具のためのクリーナであって、
ねじりブラシを掃除する円弧状の櫛部を備えたクリーナ。
【請求項２】
前記クリーナが掃除用突起部を備える請求項１に記載のクリーナ。
【請求項３】
前記クリーナが円弧状の係合凹部を備え、この係合凹部の弾性的な拡縮変形により該係合凹部を清掃具本体の柄の外周に係脱自在にする請求項１又は２に記載のクリーナ。
【請求項４】
請求項１〜３のいずれかに記載のクリーナを着脱自在にした清掃具。
【発明の詳細な説明】
【０００１】
【発明の属する技術分野】
本発明は清掃具のためのクリーナに関する。
【０００２】
【従来の技術】
清掃具として、特許文献１に記載の如く、清掃具本体にねじりブラシを回動自在に支持し、ねじりブラシを床面上にて転動させながら、床面上のゴミをねじりブラシにより掻き上げて集塵するものがある。
【０００３】
【特許文献１】
特開２００２−２０４７７０（２頁、図２）
【０００４】
【発明が解決しようとする課題】
▲１▼床面上の髪の毛等がねじりブラシの芯線等にからみ着いたとき、これが容易には除去できないし、ねじりブラシの掻き上げ能力を低下させる。
【０００５】
▲２▼ねじりブラシが掻き上げたゴミを粘着ロールにて吸着捕捉する清掃具では、ねじりブラシの芯線等にからみ付いた髪の毛等の先端が粘着ロールに粘着し、ねじりブラシや粘着ロールの回転を阻害する。
【０００６】
本発明の課題は、ねじりブラシ付き清掃具において、ねじりブラシの芯線等にからみ着いた髪の毛等を容易に除去することにある。
【０００７】
【課題を解決するための手段】
請求項１の発明は、清掃具本体にねじりブラシを設けた清掃具のためのクリーナであって、ねじりブラシを掃除する円弧状の櫛部を備えたものである。
【０００８】
【発明の実施の形態】
清掃具１０は、図１〜図３に示す如く、円形パイプ状の柄１１の先端部に継手部１２を介して支持アーム１３を結合し、支持アーム１３の両側アーム部１３Ａに支軸部１４を介してフレーム１５を前後方向に揺動自在に支持している。柄１１及びフレーム１５は本発明の清掃具本体を構成する。
【０００９】
フレーム１５の前部にはねじりブラシ１６が回転軸１７を介して回動自在に支持され、フレーム１５の後部にはロール体からなる接触回転体１８が回転軸１９を介して回動自在に支持され、ねじりブラシ１６と接触回転体１８は平行に並べられて配置される。ねじりブラシ１６は、ブラシ部１６Ａとタイヤ部１６Ｂからなり、ブラシ部１６Ａの掻き上げ径（ブラシ径）をタイヤ部１６Ｂのタイヤ径より大きくしている。接触回転体１８は、ロール状の接触部１８Ａとタイヤ部１８Ｂからなる。尚、接触回転体１８の接触部１８Ａには、その表面に凹凸部を設けても良い。凹凸部とは、接触部１８Ａのロール表面にリブや凸部、凹部、しぼ面等を設けたことをいう。
【００１０】
ねじりブラシ１６のブラシ部１６Ａと接触回転体１８の接触部１８Ａの上には、それらに跨がる粘着ロール２１が乗せられ、粘着ロール２１はねじりブラシ１６と接触回転体１８の回転に連れ回る。フレーム１５の上部は粘着ロール２１の出し入れ口とされ、取外し可能な透明カバー１５Ａにより被覆される。粘着ロール２１は、粘着シートの巻取りロールの構成、又は表面が粘着性のエラストマーからなり、その表面を洗浄して再使用可能とする構成等を含む。本実施例の粘着ロール２１は、粘着シート２１Ａをコア２１Ｂに巻き回し、粘着シート２１Ａの粘着面を外側に向けて巻出し可能かつ切断可能にした巻取りロールにて構成される。
【００１１】
フレーム１５におけるねじりブラシ１６の後部には塵取部２３が支持されている。塵取部２３は、床面に接する底面部２３Ａと、ねじりブラシ１６に隙間なく（又は隙間を介して）相対する曲面状（又は平面状）のすくい面部２３Ｂと、凹状のゴミ受け部２３Ｃを有する。塵取部２３は、フレーム１５に後述する如くに上下に揺動可能に支持され、自重により底面部２３Ａとすくい面部２３Ｂの最下端部を床面に隙間なく接し、ねじりブラシ１６のブラシ部１６Ａが掻き上げるゴミを床面に沿う後方に逃がすことなく、その全てのゴミをすくい面部２３Ｂにより粘着ロール２１の側にガイドし、大きなゴミはゴミ受け部２３Ｃに送り込む。
【００１２】
塵取部２３をフレーム１５に対し、ねじりブラシ１６とは独立に上下に揺動可能に支持するとともに、塵取部２３のゴミ受け部２３Ｃをフレーム１５から開放可能に支持した。
【００１３】
具体的には、塵取部２３におけるねじりブラシ１６に近い側の前端を揺動部４０（塵取部２３の前端側両側面に設けたピン４１を、フレーム１５の両側壁に設けた長孔４２の中で上下動可能に係入したもの）によりフレーム１５に揺動可能に支持する。また、塵取部２３におけるねじりブラシ１６から遠い側の後端に設けた係脱部５０の孔５１を、フレーム１５に設けた係脱可能ピン５２に係脱可能にし、孔５１を係脱可能ピン５２から外して塵取部２３の後端をフレーム１５から開放可能に支持する。塵取部２３の孔５１をフレーム１５の係脱可能ピン５２に係入した状態で、係脱可能ピン５２を塵取部２３の揺動の中心軸とし、塵取部２３の孔５１をフレーム１５の係脱可能ピン５２から外した状態で、揺動部４０を塵取部２３の開放の中心軸とする。
【００１４】
清掃具１０による清掃動作は以下の通りなされる。
（１）柄１１の軸方向に加える操作力により清掃具１０を前進させ、ねじりブラシ１６及び接触回転体１８を回動させ、同時に粘着ロール２１を連れ回り回転させる。
【００１５】
（２）ねじりブラシ１６のブラシ部１６Ａが床面上のゴミを掻き上げると、このゴミは塵取部２３にガイドされて粘着ロール２１の側に送り出され、粘着ロール２１の粘着面に吸着捕捉される。
【００１６】
（３）粘着ロール２１の粘着面に捕捉されたゴミは、粘着ロール２１の回動とともに接触回転体１８の側に移動し、接触回転体１８により粘着ロール２１の粘着面に押付けられて固定化される。
【００１７】
（４）透明カバー１５Ａから粘着ロール２１の粘着面の全周に多量のゴミが捕捉されたことが視認されたら、カバー１５Ａを開いて粘着シート２１Ａの１周分を剥離切断除去し、新規粘着面を露出せしめた後、カバー１５Ａを閉じる。
【００１８】
尚、清掃具１０のねじりブラシ１６は、例えば２本の針金の芯線６０の間に多数本の同一長さの毛材６１の各中央部を挟み、該芯線６０をより合わせる又はねじることにて毛材６１を固定し、芯線６０の周囲の長い毛材６１によりロール状をなすブラシ部１６Ａを形成したものである（図６）。
【００１９】
しかるに、清掃具１０は、図４、図５に示す如く、ねじりブラシ１６を掃除するための合成樹脂製クリーナ７０を清掃具本体としての柄１１に着脱自在に設けている。
【００２０】
クリーナ７０は、図６、図７に示す如く、ねじりブラシ１６におけるブラシ部１６Ａの例えば芯線６０や毛材６１にからみ着いた髪の毛Ｈ等を除去するための櫛歯７１Ａを突設してなる櫛部７１を先端部に備えるとともに、ねじりブラシ１６の回転軸１７に頑固にからみ着いた髪の毛Ｈ等を除去する突起部７２を基端部に備える。
【００２１】
クリーナ７０は、櫛部７１の横断面を柄１１の外周の半周を超える範囲に沿う円形状或いは円弧状にし、櫛部７１の円弧の内側面を係合凹部７３としている。クリーナ７０は、櫛部７１の係合凹部７３の円弧に沿う開口幅Ａを柄１１の外径Ｂより若干小さくし、この開口幅Ａの弾性的な拡縮変形により、該係合凹部７３を柄１１の外周に係脱自在にしている。
【００２２】
本実施形態によれば以下の作用がある。
（請求項１、４に対応する作用）
▲１▼清掃具本体としての柄１１にクリーナ７０を忘れずに常備しておくことができ、ねじりブラシ１６を掃除したいときにクリーナ７０を柄１１から取外して直ちに使用できる。
【００２３】
▲２▼ねじりブラシ１６の芯線６０等にからみ着いた髪の毛等をクリーナ７０の櫛部７１により容易に除去でき、ねじりブラシ１６の掻き上げ能力を維持できる。
【００２４】
▲３▼ねじりブラシ１６の芯線６０等にからみ着いた髪の毛等の先端が粘着ロール２１に粘着することを予防でき、ねじりブラシ１６や粘着ロール２１を常時安定的に回転可能にし、清掃具１０の使用安定性を確保できる。
【００２５】
（請求項２に対応する作用）
▲４▼クリーナ７０の掃除用突起部７２により、ねじりブラシ１６の回転軸１７等に頑固にからみ着いた髪の毛等も容易に引っ掛け、これをむしり取るように除去できる。
【００２６】
（請求項３に対応する作用）
▲５▼クリーナ７０の円弧状の係合凹部７３を柄１１の外周に弾性的に係脱自在にし、クリーナ７０を簡易に柄１１に着脱できる。
【００２７】
▲６▼クリーナ７０の櫛部７１を円弧状にしたから、ねじりブラシ１６の芯線６０の周囲に櫛部７１の円弧の内側面を当てがい、該櫛部７１を芯線６０の周囲で長手方向に押し進めることにより、芯線６０の周囲の広い範囲において髪の毛等を掻き集めることができる（図６、７）。芯線６０の端部でクリーナ７０の櫛部７１を持ち上げることにより、櫛部７１に掻き集めた髪の毛等を芯線６０から引張り上げて切取り除去できる。
【００２８】
尚、本発明のクリーナは、清掃具本体としてのフレーム１５等に着脱自在に設けられても良い。
【００２９】
【発明の効果】
本発明によれば、ねじりブラシ付き清掃具において、ねじりブラシの芯線等にからみ着いた髪の毛等を容易に除去できる。
【図面の簡単な説明】
【図１】図１は清掃具の全体を示す斜視図である。
【図２】図２は清掃具の要部を示す側面図である。
【図３】図３は清掃具の要部を示す分解斜視図である。
【図４】図４は柄とクリーナを示す斜視図である。
【図５】図５は図４のＶ−Ｖ線に沿う断面図である。
【図６】図６はクリーナの使用状態を示す正面図である。
【図７】図７は図６のＶＩＩ−ＶＩＩ線に沿う矢視図である。
【符号の説明】
１０　清掃具
１１　柄（清掃具本体）
１５　フレーム（清掃具本体）
１６　ねじりブラシ
７０　クリーナ
７１　櫛部
７２　突起部
７３　係合凹部
【図１】
2004135809.tif 000003
【図２】
2004135809.tif 000004
【図３】
2004135809.tif 000005
【図４】
2004135809.tif 000006
【図５】
2004135809.tif 000007
【図６】
2004135809.tif 000008
【図７】
2004135809.tif 000009